(57)【要約】【課題】装飾部材が剥がれ落ちてしまうのを抑制することが可能な遊技機を提供すること。【解決手段】曲面１１が形成されたベース部材１０と、装飾面２１の反対側の面が前記曲面１１に密着するように撓んだ状態で前記ベース部材１０に固定される装飾部材２０と、を備え、前記ベース部材１０には、前記装飾面１１側に位置する押さえ部１３が設けられている。前記装飾部材２０は、中央側が凸となるように撓んだ状態にあり、前記押さえ部１３は、前記装飾部材２０における凸となった部分から離れた両端部側に設けられているとよい。【選択図】図２
2016067390.tif 000002
【特許請求の範囲】
【請求項１】
曲面が形成されたベース部材と、
装飾面の反対側の面が前記曲面に密着するように撓んだ状態で前記ベース部材に固定される装飾部材と、
を備え、
前記ベース部材には、前記装飾面側に位置する押さえ部が設けられていることを特徴とする遊技機。
【請求項２】
前記装飾部材は、中央側が凸となるように撓んだ状態にあり、
前記押さえ部は、前記装飾部材における凸となった部分から離れた両端部側に設けられていることを特徴とする請求項１に記載の遊技機。
【請求項３】
前記ベース部材には、前記曲面の周縁から前記装飾部材側に突出し当該装飾部材を囲む側壁部が設けられ、
前記押さえ部は、前記側壁部の内面から内側に向かって突出した突起であることを特徴とする請求項１または請求項２に記載の遊技機。
【請求項４】
前記ベース部材における前記装飾部材に接触する面の一部に、当該ベース部材と装飾部材とを接着する接着材料が付着されていることを特徴とする請求項１から請求項３のいずれか一項に記載の遊技機。
【請求項５】
前記ベース部材における前記装飾部材が位置する側の反対側には、前記装飾部材を照らす発光装置が設けられていることを特徴とする請求項１から請求項４のいずれか一項に記載の遊技機。
【発明の詳細な説明】
【技術分野】
【０００１】
本発明は、装飾部材を備えた遊技機に関する。
【背景技術】
【０００２】
下記特許文献１等に記載されるように、遊技領域に配置された部材に装飾部材としてのシールを貼付することにより装飾効果を高めた遊技機が公知である。
【先行技術文献】
【特許文献】
【０００３】
【特許文献１】特開２００５−１３２６７号公報
【発明の概要】
【発明が解決しようとする課題】
【０００４】
上記特許文献１に記載されるような装飾部材が曲面に固定される、すなわち装飾部材が撓んだ状態で固定されると、装飾部材の弾性により、装飾部材が剥がれ落ちてしまうおそれがある。
【０００５】
本発明が解決しようとする課題は、装飾部材が剥がれ落ちてしまうのを抑制することが可能な遊技機を提供することにある。
【課題を解決するための手段】
【０００６】
上記課題を解決するためになされた請求項１の発明にかかる遊技機は、曲面が形成されたベース部材と、装飾面の反対側の面が前記曲面に密着するように撓んだ状態で前記ベース部材に固定される装飾部材と、を備え、前記ベース部材には、前記装飾面側に位置する押さえ部が設けられていることを特徴とする。
【０００７】
請求項２に記載の発明は、請求項１に記載の遊技機において、前記装飾部材は、中央側が凸となるように撓んだ状態にあり、前記押さえ部は、前記装飾部材における凸となった部分から離れた両端部側に設けられていることを特徴とする。
【０００８】
請求項３に記載の発明は、請求項１または請求項２に記載の遊技機において、前記ベース部材には、前記曲面の周縁から前記装飾部材側に突出し当該装飾部材を囲む側壁部が設けられ、前記押さえ部は、前記側壁部の内面から内側に向かって突出した突起であることを特徴とする。
【０００９】
請求項４に記載の発明は、請求項１から請求項３のいずれか一項に記載の遊技機において、前記ベース部材における前記装飾部材に接触する面の一部に、当該ベース部材と装飾部材とを接着する接着材料が付着されていることを特徴とする。
【００１０】
請求項５に記載の発明は、請求項１から請求項４のいずれか一項に記載の遊技機において、前記ベース部材における前記装飾部材が位置する側の反対側には、前記装飾部材を照らす発光装置が設けられていることを特徴とする。
【発明の効果】
【００１１】
請求項１に記載の発明では、ベース部材には、曲面に固定される装飾部材の装飾面側（固定される面の反対側）に位置する押さえ部が設けられているから、装飾部材が剥がれ落ちてしまうのを抑制することが可能である。
【００１２】
請求項２に記載の発明のように、装飾部材がその中央側が凸となるような状態でベース部材に固定される構成の場合、凸から離れた両端部分が弾性によりもとに戻ろうとする（両端部分が最も剥がれやすい）ところ、当該部分を押さえる位置に押さえ部が設けられているから、装飾部材が剥がれ落ちてしまうのを抑制することが可能である。
【００１３】
請求項３に記載の発明のように、ベース部材に曲面の周縁から装飾部材側に突出し当該装飾部材を囲む側壁部が設けられていれば、側壁部によって装飾部材が位置ずれしてしまうのを抑制することが可能である。また、かかる側壁部を利用して押さえ部を形成することが可能である。つまり、位置ずれ防止のための側壁部を、押さえ部を形成するための部分としても利用することが可能である。
【００１４】
請求項４に記載の発明のように、装飾部材を固定するための接着材料は、装飾部材に接触する面の一部にのみ付着されていても、押さえ部によって装飾部材がベース部材から剥がれ落ちてしまうのを抑制することが可能である。
【００１５】
請求項５に記載の発明のように、装飾部材を照らす発光装置が設けられており、発光装置の熱によって装飾部材が変形してしまうような構成であっても、押さえ部によって装飾部材がベース部材から剥がれ落ちてしまうのを抑制することが可能である。
【図面の簡単な説明】
【００１６】
【図１】本発明の一実施形態にかかる遊技機の正面図である。
【図２】装飾ユニットの分解斜視図である。
【図３】装飾ユニットの外観斜視図である。
【図４】装飾ユニットの断面図である。
【図５】変形例（第一例）を説明するための図である。
【図６】変形例（第二例）を説明するための図である。
【図７】変形例（第四例）を説明するための図である。
【発明を実施するための形態】
【００１７】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）をいうものとする。
【００１８】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１９】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００２０】
本実施形態にかかる遊技機１では、遊技領域９０２を装飾する装飾ユニット１ｕが設けられている。本実施形態における装飾ユニット１ｕは、遊技盤９０の開口９０１の左側縁に沿うように設けられている。当該装飾ユニット１ｕの構成および作用の詳細については後述する。
【００２１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２２】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２３】
以下、図２〜図４を参照して遊技領域９０２を装飾する装飾ユニット１ｕの構成について説明する。本実施形態における装飾ユニット１ｕは、遊技盤９０の開口９０１の左側縁に沿うように位置するものであって、ベース部材１０および装飾部材２０を備える。ベース部材１０は、遊技機本体側に固定される部材である。換言すれば、装飾部材２０と遊技機本体側を中継する部材であるともいえる。遊技機本体側に対するベース部材１０の固定構造はどのようなものであってもよい。また、ベース部材１０は、遊技機本体側に対して動作可能に設けられていてもよい。かかるベース部材１０に装飾部材２０が固定される。
【００２４】
装飾部材２０は、撓むこと（弾性変形）可能な材料で形成されたシート状の部材である。本実施形態における装飾部材２０は、可塑剤が添加されることにより軟らかくされたポリ塩化ビニルを主成分とする材料によって形成されている。装飾部材２０の一方の面は、遊技領域９０２を装飾するための所定の装飾が施された装飾面２１であり、その反対側の面は、ベース部材１０に固定（接着）される固定面２２となっている。
【００２５】
ベース部材１０には、装飾部材２０が固定される曲面である被固定面１１が形成されている。なお、ここでいう曲面とは平面以外の面をいう。本実施形態における被固定面１１は、平面視形状が略長方形状であるベース部材１０の長手方向における中央側が凸となった形状である。なお、本実施形態では、長手方向におけるちょうど中間が凸の頂点となる構成であるが、頂点が長手方向におけるちょうど中間からずれていてもよい。装飾部材２０は、その固定面２２が曲面である被固定面１１に密着するように接着材料を介して固定される。本実施形態では、被固定面１１（固定面２２）の全体に接着材料が塗布されている。被固定面１１が曲面であるため、装飾部材２０は被固定面１１に沿うような形状に弾性変形した状態となる。なお、接着材料は、接着剤ではなく、両面テープのようなものであってもよい。
【００２６】
ベース部材１０の被固定面１１の周囲には、前方（装飾部材２０側）に起立した側壁部１２が形成されている。側壁部１２の内縁は、装飾部材２０と略同じ形状に形成されている。つまり、装飾部材２０は、側壁部１２の内側に嵌まり込むようにしてベース部材１０に固定されている。
【００２７】
ベース部材１０には、その側壁部１２の内面から内側に向かって突出する押さえ部１３が形成されている。押さえ部１３は、平面視形状が略長方形状であるベース部材１０の短い側縁側に形成されている。かかる押さえ部１３と被固定面１１の間に装飾部材２０の一部が位置する。つまり、押さえ部１３は、装飾部材２０の装飾面２１よりも前方に位置する。なお、本実施形態では、ベース部材１０の成形を容易にするため、被固定面１１におけるベース部材１０と対向する部分は貫通孔１１１となっているが、このような貫通孔１１１が形成されていなくてもよい。
【００２８】
このように、本実施形態における装飾ユニット１ｕでは、装飾部材２０の前方（装飾面２１側）にベース部材１０の押さえ部１３が位置する。したがって、装飾部材２０とベース部材１０の間に設けられる接着材料の接着力が弱まる等の原因により、装飾部材２０が被固定面１１から剥がれそうになっても、当該方向への装飾部材２０の変位は押さえ部１３によって抑制される。つまり、押さえ部１３によって、装飾部材２０がベース部材１０から剥がれ落ちてしまうのを抑制することが可能である。
【００２９】
特に、本実施形態における装飾部材２０は、その長手方向における中央側が凸となるような状態でベース部材１０（被固定面１１）に固定される。そのため、凸から離れた両端部分が弾性によりもとに戻ろうとする（弾性変形していないフラットな状態を基準として、凸から離れた両端部分が大きく変位するため、当該両端部分が最も剥がれやすい）ところ、当該部分を押さえる位置に押さえ部１３が設けられているから、装飾部材２０が剥がれてしまうのを抑制することが可能である。つまり、押さえ部１３の数が多いと、装飾部材２０をベース部材１０に固定する（接着する）作業が困難になってしまうおそれがあるが、本実施形態では、装飾部材２０の凸となっている部分から離れた両端部分側にのみ押さえ部１３が設けられた構成とすることで、装飾部材２０の固定作業が困難になってしまうのを防ぎつつ、装飾部材２０が剥がれ落ちてしまうのを効果的に抑制する構造としている。
【００３０】
また、ベース部材１０には、装飾部材２０を囲む側壁部１２が設けられているため、装飾部材２０がその平面方向に位置ずれしてしまうのを抑制することが可能である。また、かかる側壁部１２を利用して押さえ部１３を形成することが可能である。つまり、位置ずれ防止のための側壁部１２を、押さえ部１３を形成するための部分としても利用することが可能である。
【００３１】
上記実施形態における装飾ユニット１ｕは、次のように変形（改良）することができる。
【００３２】
・第一例
上記実施形態では、被固定面１１（固定面２２）の全体に一部にベース部材１０と装飾部材２０を接合するための接着材料が付着されていることを説明したが、図５に示すように被固定面１１（または固定面２２（図示せず））の一部にのみ接着材料が付着された、すなわち被固定面１１（または固定面２２）の全面に付着されていない構成としてもよい。具体的には、被固定面１１（または固定面２２）における凸となった部分を含む中央側の一部にのみ接着材料Ｓが付着され、押さえ部１３が位置する側に接着材料Ｓが付着されていない構成としてもよい。
【００３３】
このように装飾部材２０を固定するための接着材料が、装飾部材２０に接触する面の一部にのみ付着されていても、押さえ部１３によって装飾部材２０がベース部材１０から剥がれてしまうのを抑制することが可能である。接着材料が全面に塗布される構成である場合、装飾部材２０をベース部材１０に固定する作業の困難性が増すような場合には、本例のように、押さえ部１３が位置する側以外の箇所にのみ、接着材料が塗布された構成とすればよい。
【００３４】
・第二例
押さえ部１３と被固定面１１の間の距離は、装飾部材２０の厚みより小さくするとよい。このようにすれば、図６に示すように、装飾部材２０の一部が押さえ部１３と被固定面１１の間に挟まれ、当該部分が厚み方向に弾性変形した状態となるため、押さえ部１３による装飾部材２０の剥がれ抑制効果をさらに高めることが可能である。
【００３５】
・第三例
第二例とは逆に、押さえ部１３と被固定面１１の間の距離を、装飾部材２０の厚みより大きくしてもよい。つまり、押さえ部１３と装飾部材２０が接触していなくてもよい。このような構成としても、一定の剥がれ抑制効果が生ずるし、装飾部材２０をベース部材１０に固定（接着）する作業が容易になるという利点がある。ただし、押さえ部１３が設けられる位置は、中央側が凸となる曲面である被固定面１１の頂点を通る平面Ｆ（図４参照）よりも後方（装飾部材２０が弾性変形する方向側）であるとよい。このようにすれば、押さえ部１３と装飾部材２０が接触していなくても、装飾部材２０がベース部材１０から剥がれ落ちてしまうのを抑制することが可能である。
【００３６】
・第四例
図７に示すように、装飾ユニット１ｕが、さらに発光装置３０を備えるものであるとよい。例えば、ベース部材１０の少なくとも一部が光透過性材料で形成され、ベース部材１０の後方（装飾部材２０が位置する側の反対側）に前方に向かって光を出射する発光装置３０を設けた構成とする。発光装置３０から出射された光は、ベース部材１０を通じて装飾部材２０を照らす。つまり、発光装置３０によって装飾部材２０による装飾効果を高めることが可能である。装飾部材２０の少なくとも一部が光透過性材料で形成されていれば、光源からの光が装飾部材２０の光透過性部分を通じて前方（遊技者側）に出射されるため、さらに装飾効果が高まる。
【００３７】
このような発光装置３０が設けられていると、装置を駆動させることによって生ずる熱により、装飾部材２０が変形してしまったり、接着材料の接着力が弱まってしまったりすることで、装飾部材２０がベース部材１０から剥がれてしまうおそれがある。しかし、押さえ部１３によって装飾部材２０の剥がれが抑制されるから、発光装置３０から生ずる熱による悪影響を低減することが可能である。例えば、従来に比して発光装置３０とベース部材１０および装飾部材２０を近づけて配置することが可能である（ユニットの小型化、光漏れの低減につながる）。なお、発光装置３０の具体的な構成やその駆動方法はどのようなものであってもよい。図７に示した発光装置３０は、光源３１が実装された基板３２および基板３２が収容されるケース３３を備え、ベース部材１０の後方に固定されたものである。
【００３８】
以上、本発明の実施の形態について詳細に説明したが、本発明は上記実施の形態に何ら限定されるものではなく、本発明の要旨を逸脱しない範囲で種々の改変が可能である。
【符号の説明】
【００３９】
１  遊技機
１ｕ  装飾ユニット
１０  ベース部材
１１  被固定面（曲面）
１２  側壁部
１３  押さえ部
２０  装飾部材
２１  装飾面
２２  固定面
３０  発光装置
【図１】
2016067390.tif 000003
【図２】
2016067390.tif 000004
【図３】
2016067390.tif 000005
【図４】
2016067390.tif 000006
【図５】
2016067390.tif 000007
【図６】
2016067390.tif 000008
【図７】
2016067390.tif 000009